(57)【要約】      （修正有）【課題】特定の方向から光を照射する光源によって全方向から展示物に照明効果を与えることができる展示用ディスプレイ装置を提供する。【解決手段】ステージ１０と、少なくとも一側が透明であり、内部空間が形成されるように前記ステージ１０をカバーするケース２０と、前記ステージ１０及び前記ケース２０の少なくとも一面に取り付けられた照明装置３０と、前記ステージ１０及び前記ケース２０の少なくとも一面に付着された透明再帰反射フィルム４０とを含む。【選択図】図１
0003225177.tif 000002
【実用新案登録請求の範囲】
【請求項１】
ステージ（１０）と、
少なくとも一側が透明であり、内部空間が形成されるように前記ステージ（１０）をカバーするケース（２０）と、
前記ステージ（１０）及び前記ケース（２０）の少なくとも一面に取り付けられた照明装置（３０）と、
前記ステージ（１０）及び前記ケース（２０）の少なくとも一面に付着された透明再帰反射フィルム（４０）とを含む、展示用ディスプレイ装置。
【請求項２】
照明装置（１１０）と、
少なくとも一側が透明であり、内部空間が形成されるように前記照明装置（１１０）をカバーするケース（１２０）と、
ケース（１２０）の少なくとも一面に付着された透明再帰反射フィルム（１３０）とを含む、展示用ディスプレイ装置。
【考案の詳細な説明】
【技術分野】
【０００１】
本考案は展示用ディスプレイ装置に係り、より詳しくは特定の方向から光を照射する光源によって全方向から展示物に照明効果を与えることができる展示用ディスプレイ装置に関する。
【背景技術】
【０００２】
従来の展示用ディスプレイシステムは、ステージ上の展示物を透明なケースでカバーして内部空間を確保し、照明装置で展示物を照らして展示物が目立つようにした。
【０００３】
しかし、ＬＥＤのような照明装置は直進性が強いため、照明装置が照らす部分のみ明るく、展示物の他の方向は明るくならず陰になった。これを解決するためには、多様な方向に照明装置が取り付けられなければならなかった。この場合、ケースの内部の各種の電線及び部品によって洗練さが落ちる展示用ディスプレイシステムになる。
【０００４】
したがって、このような問題点を解決する展示用ディスプレイシステムの開発が必要である。
【考案の概要】
【考案が解決しようとする課題】
【０００５】
本考案は透明再帰反射フィルムを用いて単一照明装置でも多方向から展示物を照らすことができる展示用ディスプレイ装置を提供するものである。
【課題を解決するための手段】
【０００６】
本考案の一側面によれば、
ステージ（１０）と、
少なくとも一側が透明であり、内部空間が形成されるように前記ステージ（１０）をカバーするケース（２０）と、
前記ステージ（１０）及び前記ケース（２０）の少なくとも一面に取り付けられた照明装置（３０）と、
前記ステージ（１０）及び前記ケース（２０）の少なくとも一面に付着された透明再帰反射フィルム（４０）とを含む、展示用ディスプレイ装置が提供される。
【０００７】
本考案の他の側面によれば、
照明装置（１１０）と、
少なくとも一側が透明であり、内部空間が形成されるように前記照明装置（１１０）をカバーするケース（１２０）と、
ケース（１２０）の少なくとも一面に付着された透明再帰反射フィルム（１３０）とを含む、展示用ディスプレイ装置が提供される。
【考案の効果】
【０００８】
本考案は透明再帰反射フィルムを用いて単一照明装置でも多方向から展示物を照らすことができる展示用ディスプレイ装置を提供する。
【図面の簡単な説明】
【０００９】
【図１】本考案の一実施例による展示用ディスプレイ装置の斜視図である。
【図２】本考案の一実施例による展示用ディスプレイ装置の断面図である。
【図３】本考案の他の実施例による展示用ディスプレイ装置の断面図である。
【考案を実施するための形態】
【００１０】
本考案は、
ステージ１０と、
少なくとも一側が透明であり、内部空間が形成されるように前記ステージ１０をカバーするケース２０と、
前記ステージ１０及び前記ケース２０の少なくとも一面に取り付けられた照明装置３０と、
前記ステージ１０及び前記ケース２０の少なくとも一面に付着された透明再帰反射フィルム４０とを含む展示用ディスプレイ装置を提供する。
【００１１】
以下では、本考案の好適な一実施例を添付図面に基づいて詳細に説明するが、これは本考案が属する技術分野で通常の知識を有する者が本考案を容易に実施することができるよう詳細に説明するためのものであり、これによって本考案の思想及び範疇が限定されることを意味しない。
【００１２】
図１は本考案の一実施例による展示用ディスプレイ装置の斜視図、図２は本考案の一実施例による展示用ディスプレイ装置の断面図である。
【００１３】
本実施例の展示用ディスプレイ装置１００は、
ステージ１０と、
少なくとも一側が透明であり、内部空間が形成されるように前記ステージ１０をカバーするケース２０と、
前記ステージ１０及び前記ケース２０の少なくとも一面に取り付けられた照明装置３０と、
前記ステージ１０及び前記ケース２０の少なくとも一面に付着された透明再帰反射フィルム４０とを含む。
【００１４】
ステージ１０は展示物を載せることができる空間である。ステージ１０の表面は透明又は半透明素材からなり、その下には照明装置３０が取り付けられることができる。本実施例の照明装置３０はステージ１０内部に取り付けられ、上部に向けて光を照射する。照明装置３０はＬＥＤであってもよい。
【００１５】
ステージ１０の上部にはケース２０が結合される。ケース２０とステージ１０によって内部空間が形成される。ケース２０は透明な素材からなることが好ましい。ケース２０はガラス、透明アクリル、ＰＣなどの素材からなることができる。
【００１６】
ステージ１０とケース２０が結合される場合、直方体であってもよく、円錐形、円筒形、三角形、多角形及びその組合せの多様な形態であってもよい。
【００１７】
透明再帰反射フィルム４０はケース２０の内部に付着されることができる。照明装置３０から照射された光は透明再帰反射フィルム４０にぶつかり、一部は外部に放出され、一部は反射されてステージ１０の内部の展示物を照らすことになる。ステージ１０の底から照射された光は透明再帰反射フィルム４０で反射されて全方向から展示物を照らすようになる。したがって、単一照明装置３０を用いて立体形状の展示物を全方向から照らすことができるようになる。透明再帰反射フィルム４０があっても、ケース２０の内部の展示物は肉眼で観察することができる。
【００１８】
透明再帰反射フィルム４０はケース２０の内部の全面に付着されることもでき、一面にのみ付着されることもできる。
【００１９】
照明装置３０は底面に取り付けられることもでき、側面又は天井面に取り付けられることもできる。
【００２０】
このように、本実施例の展示用ディスプレイ装置１００は一方向から照射する照明装置３０を用いて全方向から展示物に照明することができるので、立体的な展示物が透明なケース２０の内部にあっても陰影部なしに効果的に展示物をディスプレイすることができるようになる。特に、照明装置３０が底にあっても、展示物の上面にも反射光が当てられる。
【００２１】
また、本実施例の展示用ディスプレイ装置１００は図３の左側のようにミラー効果があるので、内部の展示物が多方向から反射されて見える効果がある。
【００２２】
また、ケース２０の内部の展示物を肉眼で全方向から観察することができる。
【００２３】
図３は本考案の他の実施例による展示用ディスプレイ装置の断面図である。
【００２４】
本実施例の展示用ディスプレイ装置２００は、
照明装置１１０と、
少なくとも一側が透明であり、内部空間が形成されるように前記照明装置１１０をカバーするケース１２０と、
ケース１２０の任意の少なくとも一面に付着された透明再帰反射フィルム１３０とを含む。
【００２５】
本実施例の展示用ディスプレイ装置２００は、照明装置１００そのものがステージになる。底面に平板形の照明装置１１０が取り付けられ、その上にケース１２０が配置される。照明装置１１０、ケース１２０及び透明再帰反射フィルム１３０の機能は前述した実施例の構成と同一であるので、以下で詳細な説明は省略する。
【００２６】
以上で本考案の実施例について詳細に説明したが、これは一実施例に過ぎず、本考案の請求範囲を限定するものではない。本実施例に基づく均等な範囲まで当業者が変形及び追加する範囲も本考案の権利範囲に属すると言える。
【産業上の利用可能性】
【００２７】
本考案は展示用産業に用いることができる。
【図１】
0003225177.tif 000003
【図２】
0003225177.tif 000004
【図３】
0003225177.tif 000005